(57)【要約】【課題】コア弁の環状弁体が安定して環状隙間を開閉することが可能な排水路構造の提供を目的とする。【解決手段】本発明の排水路構造１０では、フランジ部１３と一体に形成された第２パイプ１２の下端開口に、コアパイプ４１の上端開口に全体が対向するセンター開口１４Ｋを備えているので、第２パイプ１２より上流側から流れてくる液体をコアパイプ４１内に案内することができる。これにより、廃液に含まれる異物が環状弁体４３及びその周囲に堆積することが防がれると共に、環状弁体４３と弁座部２４との間に廃液に含まれる異物が挟まれることも防がれる。【選択図】図３
2018150743.tif 000002
【特許請求の範囲】
【請求項１】
コアパイプの下端部に逆止弁体を取り付けてなり、内側を廃水が流下することを許容しかつ遡上を禁止するコア弁が、上下に延びる排水路に直動可能に挿入されると共に、前記コア弁から側方に張り出す環状弁体が、前記排水路に形成された弁座部に上方から当接して、前記コア弁と前記排水路の内面との間の環状隙間を塞ぐ排水路構造において、
前記排水路の内側において前記コア弁よりも上側部分から内側に張り出すカバー壁と、
前記カバー壁の中央に形成されて、前記コアパイプの上端開口に全体が対向するセンター開口と、が備えられ、
前記センター開口より上流側の前記排水路を構成する上流側パイプが、前記カバー壁に接続されるか又は前記カバー壁に一体に形成される排水路構造。
【請求項２】
前記カバー壁に設けられて前記コア弁に向かって突出し、先端に前記センター開口を有する延長管を備える請求項１に記載の排水路構造。
【請求項３】
前記延長管の先端部が、前記コアパイプの内側に遊嵌されている請求項２に記載の排水路構造。
【請求項４】
前記排水路のうち前記コア弁より下側部分を絞ってなり、前記コア弁の外径より小さい内径を有するコア堰止部を備えた請求項１乃至３の何れか１の請求項に記載の排水路構造。
【請求項５】
シンクの底部に固定されて廃水を貯留する貯留カップの底壁を、前記上流側パイプの上端寄り位置が貫通している請求項１乃至４の何れか１の請求項に記載の排水路構造。
【請求項６】
前記貯留カップと前記上流側パイプの上端部との間の環状溝に下端部が遊嵌されるキャップ部材と、
前記キャップ部材の下端部を前記貯留カップの前記底壁から浮かせかつ前記キャップ部材の天井壁を前記上流側パイプの上端から浮かせた状態に保持するキャップ保持手段と、  前記キャップ部材の側壁のうち少なくとも前記上流側パイプの上端より上方に位置する部分を内外に貫通する側面貫通孔とを有する請求項５に記載の排水路構造。
【請求項７】
前記キャップ部材の前記側壁の少なくとも一部がメッシュ構造をなして、そのメッシュ構造の複数の網の目が前記側面貫通孔になっている請求項６に記載の排水路構造。
【請求項８】
上下に延びて上端が開口し、外面に雄螺子部を有すると共に、内面に前記弁座部を有して、前記コア弁を上下動可能に収容する外側パイプを備え、
前記カバー壁は前記上流管の側方から張り出して前記外側パイプ部の上面に重ねられ、
前記カバー壁に上方から結合し又は前記カバー壁に一体に形成されて、前記雄螺子部に螺合するナット部を備えてなる請求項１乃至７の何れか１の請求項に記載の排水路構造。
【請求項９】
前記上流側パイプを蛇行させてなる封水トラップを備える請求項１乃至８の何れか１の請求項に記載の排水路構造。
【請求項１０】
前記排水路としての住居の洗濯排水孔の内側に嵌合固定されかつ、内面に前記弁座部を有して、前記コア弁を上下動可能に支持するコア支持スリーブと、
前記コア支持スリーブの内側において前記弁座部よりも上方に配される前記カバー壁としての蓋部材と、
前記蓋部材を前記コア支持スリーブに連結する連結手段と、
前記蓋部材から上方又は下方に突出すると共に、下端部に前記センター開口を有し、洗濯機から延びる前記上流側パイプとしての排水ホースが接続される接続筒部と、を備える請求項１乃至４の何れか１の請求項に記載の排水路構造。
【請求項１１】
前記蓋部材に貫通孔が形成されている請求項１０に記載の排水路構造。
【請求項１２】
前記蓋部材は、円形状をなすと共に外縁部に複数の切欠部を有し、
前記コア支持スリーブの内側面には、前記蓋部材の外縁部を下方から支持する蓋支持部と、前記蓋支持部より上側部分から内側に張り出しかつ前記複数の切欠部を上下方向に通過可能な複数の係合突片とが備えられ、
前記蓋部材は、前記複数の切欠部が前記複数の係合突片と対向する回転位置から回転して、前記複数の係合突片の下面に係合する請求項１０又は１１に記載の排水路構造。
【請求項１３】
前記蓋部材の上面外縁部には、前記蓋部材を一方に回転させることで前記係合突片の下面に押し付けられる楔形突条が備えられている請求項１２に記載の排水路構造。
【請求項１４】
コアパイプの下端部に逆止弁体を取り付けてなり、内側を廃水が流下することを許容しかつ遡上を禁止するコア弁が、上下に延びる排水路に直動可能に挿入されると共に、前記コア弁から側方に張り出す環状弁体が、前記排水路に形成された弁座部に上方から当接して、前記コア弁と前記排水路の内面との間の環状隙間を塞ぐ排水路構造において、
前記排水路の内側において前記コア弁よりも上側部分から内側に張り出すカバー壁と、
前記カバー壁の中央に形成されて、前記コアパイプの上端開口に全体が対向するセンター開口と、が備えられ、
前記カバー壁が漏斗形状をなしている排水路構造。
【発明の詳細な説明】
【技術分野】
【０００１】
本発明は、排水路からの異臭を抑えることが可能な排水路構造に関する。
【背景技術】
【０００２】
従来、この種の排水路構造として、例えば、シンク等の底に開口する排水路にコア弁を上方から挿入し、そのコア弁から側方に張り出す環状弁体を排水路の上端開口縁である弁座部に当接させて、コア弁と排水路の内面との間の環状隙間を塞いだものが知られている。この排水路構造では、コア弁の開閉により、廃水が上から下へと流れることを許容しつつ臭気の遡上を防止する。そして、コア弁の閉弁状態で、下流側の廃水の挙動による圧力波が遡上してきた場合に、コア弁が上方に移動して環状隙間が開放され、圧力波が逃げる（例えば、特許文献１参照）。
【先行技術文献】
【特許文献】
【０００３】
【特許文献１】特許第５６１０３０２号公報（図１０、図１１，段落［００５２］）
【発明の概要】
【発明が解決しようとする課題】
【０００４】
しかしながら、上記した従来の排水路構造では、廃水に含まれる異物が環状弁体及びその周囲に堆積してコア弁体が上方に移動できなくなって環状隙間が閉じたままになったり、環状弁体と弁座部との間に異物が挟まって環状隙間が開いたままになる事態が生じ得た。なお、環状隙間が閉じたままになると、圧力波を逃がすことができず、下流側で廃水がスムーズに流れなかったり、圧力波の衝撃によりコア弁が損傷する事態が生じ得る。また、環状隙間が開いたままになると、異臭の発生を防ぐことができないという事態が生じ得る。
【０００５】
本発明は、上記事情に鑑みてなされたもので、コア弁の環状弁体が安定して環状隙間を開閉する排水路構造の提供を目的とする。
【課題を解決するための手段】
【０００６】
上記目的を達成するためになされた請求項１の発明は、コアパイプの下端部に逆止弁体を取り付けてなり、内側を廃水が流下することを許容しかつ遡上を禁止するコア弁が、上下に延びる排水路に直動可能に挿入されると共に、前記コア弁から側方に張り出す環状弁体が、前記排水路に形成された弁座部に上方から当接して、前記コア弁と前記排水路の内面との間の環状隙間を塞ぐ排水路構造において、前記排水路の内側において前記コア弁よりも上側部分から内側に張り出すカバー壁と、前記カバー壁の中央に形成されて、前記コアパイプの上端開口に全体が対向するセンター開口と、が備えられ、前記センター開口より上流側の前記排水路を構成する上流側パイプが、前記カバー壁に接続されるか又は前記カバー壁に一体に形成される排水路構造である。
【０００７】
請求項２の発明は、前記カバー壁に設けられて前記コア弁に向かって突出し、先端に前記センター開口を有する延長管を備える請求項１に記載の排水路構造である。
【０００８】
請求項３の発明は、前記延長管の先端部が、前記コアパイプの内側に遊嵌されている請求項２に記載の排水路構造である。
【０００９】
請求項４の発明は、前記排水路のうち前記コア弁より下側部分を絞ってなり、前記コア弁の外径より小さい内径を有するコア堰止部を備えた請求項１乃至３の何れか１の請求項に記載の排水路構造である。
【００１０】
請求項５の発明は、シンクの底部に固定されて廃水を貯留する貯留カップの底壁を、前記上流側パイプの上端寄り位置が貫通している請求項１乃至４の何れか１の請求項に記載の排水路構造である。
【００１１】
請求項６の発明は、前記貯留カップと前記上流側パイプの上端部との間の環状溝に下端部が遊嵌されるキャップ部材と、前記キャップ部材の下端部を前記貯留カップの前記底壁から浮かせかつ前記キャップ部材の天井壁を前記上流側パイプの上端から浮かせた状態に保持するキャップ保持手段と、前記キャップ部材の側壁のうち少なくとも前記上流側パイプの上端より上方に位置する部分を内外に貫通する側面貫通孔とを有する請求項５に記載の排水路構造である。
【００１２】
請求項７の発明は、前記キャップ部材の前記側壁の少なくとも一部がメッシュ構造をなして、そのメッシュ構造の複数の網の目が前記側面貫通孔になっている請求項６に記載の排水路構造である。
【００１３】
請求項８の発明は、上下に延びて上端が開口し、外面に雄螺子部を有すると共に、内面に前記弁座部を有して、前記コア弁を上下動可能に収容する外側パイプを備え、前記カバー壁は前記上流管の側方から張り出して前記外側パイプ部の上面に重ねられ、前記カバー壁に上方から結合し又は前記カバー壁に一体に形成されて、前記雄螺子部に螺合するナット部を備えてなる請求項１乃至７の何れか１の請求項に記載の排水路構造である。
【００１４】
請求項９の発明は、前記上流側パイプを蛇行させてなる封水トラップを備える請求項１乃至８の何れか１の請求項に記載の排水路構造である。
【００１５】
請求項１０の発明は、前記排水路としての住居の洗濯排水孔の内側に嵌合固定されかつ、内面に前記弁座部を有して、前記コア弁を上下動可能に支持するコア支持スリーブと、前記コア支持スリーブの内側において前記弁座部よりも上方に配される前記カバー壁としての蓋部材と、前記蓋部材を前記コア支持スリーブに連結する連結手段と、前記蓋部材から上方又は下方に突出すると共に、下端部に前記センター開口を有し、洗濯機から延びる前記上流側パイプとしての排水ホースが接続される接続筒部と、を備える請求項１乃至４の何れか１の請求項に記載の排水路構造である。
【００１６】
請求項１１の発明は、前記蓋部材に貫通孔が形成されている請求項１０に記載の排水路構造である。
【００１７】
請求項１２の発明は、前記蓋部材は、円形状をなすと共に外縁部に複数の切欠部を有し、前記コア支持スリーブの内側面には、前記蓋部材の外縁部を下方から支持する蓋支持部と、前記蓋支持部より上側部分から内側に張り出しかつ前記複数の切欠部を上下方向に通過可能な複数の係合突片とが備えられ、前記蓋部材は、前記複数の切欠部が前記複数の係合突片と対向する回転位置から回転して、前記複数の係合突片の下面に係合する請求項１０又は１１に記載の排水路構造である。
【００１８】
請求項１３の発明は、前記蓋部材の上面外縁部には、前記蓋部材を一方に回転させることで前記係合突片の下面に押し付けられる楔形突条が備えられている請求項１２に記載の排水路構造である。
【００１９】
請求項１４の発明は、コアパイプの下端部に逆止弁体を取り付けてなり、内側を廃水が流下することを許容しかつ遡上を禁止するコア弁が、上下に延びる排水路に直動可能に挿入されると共に、前記コア弁から側方に張り出す環状弁体が、前記排水路に形成された弁座部に上方から当接して、前記コア弁と前記排水路の内面との間の環状隙間を塞ぐ排水路構造において、前記排水路の内側において前記コア弁よりも上側部分から内側に張り出すカバー壁と、前記カバー壁の中央に形成されて、前記コアパイプの上端開口に全体が対向するセンター開口と、が備えられ、前記カバー壁が漏斗形状をなしている排水路構造である。
【発明の効果】
【００２０】
［請求項１の発明］
請求項１の排水路構造によれば、上流側パイプから流れてくる廃水は、センター開口を通ってコアパイプ内に案内される。これにより、異物が環状弁体上に堆積したり、環状弁体と弁座部との間に挟まることが防がれ、コア弁の環状弁体が安定して環状隙間を開閉することができる。
【００２１】
［請求項２及び３の発明］
請求項２の排水路構造は、カバー壁からコア弁に向かって突出する延長管を備えているので、廃水が環状弁体側に流れることを確実に防ぐことができる。また、請求項３の排水路構造のように、延長管の先端部がコアパイプの内側に遊嵌されていれば、より確実に廃水が環状弁体側に流れることを防ぐことができる。
【００２２】
［請求項４の発明］
請求項４の排水路構造によれば、仮に環状弁体が破損しても、コア弁がユニット堰止部で堰き止められ、それ以上、下流側に流れることが防がれる。
【００２３】
［請求項５の発明］
請求項５の排水路構造によれば、貯留カップに貯留された廃水により、シンクに流された高温の湯や油が高温のまま、コア弁に到達することを防ぐことができる。
【００２４】
［請求項６及び７の発明］
請求項６及び７の排水路構造によれば、キャップ部材により高温の湯や油が上流側パイプに直接流れ込むことが防がれ、湯や油が高温のままコア弁に到達することを確実に防ぐことができる。また、排水路を遡上する圧力波は、キャップ部材の側壁に形成された側面貫通孔を通して確実に開放される。
【００２５】
［請求項８の発明］
請求項８の排水路構造によれば、雄螺子部とナット部との螺合を外して、外側パイプと上流側パイプを分解することで、コア弁の交換や排水路構造内の清掃を容易に行うことができる。
【００２６】
［請求項９の発明］
請求項９の排水路構造によれば、封水トラップにより高温の湯や油が高温のままコア弁に到達することを防ぐことができる。
【００２７】
［請求項１０の発明］
請求項１０の排水路構造によれば、住居の洗濯排水孔から臭気を断つことができる。
【００２８】
［請求項１１の発明］
請求項１１の排水路構造によれば、洗濯排水孔の周囲に水が零れても、蓋部材に形成された貫通孔を通して洗濯排水孔に流し込むことができる。
【００２９】
［請求項１２の発明］
請求項１２の排水路構造は、蓋部材を回転させるだけで容易にコア支持スリーブに着脱することができる。これにより、コア弁のメンテナンスを容易に行うことができる。また、蓋部材をコア支持スリーブから離脱させた状態で排水ホースに固定し、その蓋部材をコア支持スリーブに装着することで、洗濯機からの排水ホースを洗濯排水孔に接続する作業を容易に行うことができる。
【００３０】
［請求項１３の発明］
請求項１３の排水路構造では、蓋部材の一方に回転させることで楔形突条が係合突片の下面に押し付けられて摩擦係合し、蓋部材がコア支持スリーブに容易に固定される。
【００３１】
［請求項１４の発明］
請求項１４の排水路構造では、漏斗状のカバー壁により、廃水がセンター開口を通ってコアパイプに案内されると共に、カバー壁がコア弁の環状弁体を上方から覆い、廃水が環状弁体側に流れることを規制する。これにより、異物が環状弁体上に堆積したり、環状弁体と弁座部との間に挟まることが防がれ、コア弁の環状弁体が安定して環状隙間を開閉することができる。
【図面の簡単な説明】
【００３２】
【図１】本発明に係る第１実施形態の排水路構造の側断面図
【図２】固定弁口が開弁した状態の側断面図
【図３】可動弁口が閉弁した状態の側断面図
【図４】Ｊ型パイプと第２パイプとの連結部分を拡大した側断面図
【図５】第２実施形態に係る排水路構造の側面断図
【図６】第３実施形態の排水路構造の側断面図
【図７】（Ａ）キャップ部材の平面図，（Ｂ）キャップ部材の側面図
【図８】第４実施形態の排水路構造の側断面図
【図９】排水路構造の分解斜視図
【図１０】（Ａ）蓋部材の平面図，（Ｂ）蓋部材の側面図
【図１１】第５実施形態の排水路構造の側断面図
【図１２】風呂場用蓋部材の斜視図
【図１３】第６実施形態に係る排水路構造の側面図
【図１４】第７実施形態に係るコア弁の側面図
【図１５】本発明の変形例に係る排水路構造の側面図
【図１６】本発明の変形例に係る排水路構造の側面図
【発明を実施するための形態】
【００３３】
［第１実施形態］
以下、本発明の一実施形態を図１〜図４に基づいて説明する。図１には、住居のシンク９４に繋がった排水管９０の排水路構造１０が示されている。この排水管９０は、シンク９４の底壁から下方に延びてＵ字状に上方に折り返された後、さらにＵ字状に下方に折り返されて下方に向かって直線状に延びている。また、排水管９０は、Ｕ字状の２つの湾曲部の中間部で分断されて、その分断部分がジョイント９２で接続されている。
【００３４】
排水管９０のうちジョイント９２より下流側は、逆Ｊ字形のＪ形パイプ１２Ｊで構成され、その下端部に第２パイプ１２が接続され、さらにその下端部に第１パイプ２０が接続されている。第１パイプ２０が本実施形態の「外側パイプ」に相当し、第２パイプ１２が本実施形態の「上流側パイプ」に相当する。
【００３５】
図４に示すように、Ｊ形パイプ１２Ｊの下端部は、第２パイプ１２に挿入されている。そして、Ｊ形パイプ１２Ｊの下端寄り位置では、第２パイプ１２より内径が大きいナット３０が回転可能に嵌合していて、その内面には雌螺子部３０Ｎが形成されている。また、第２パイプ１２は、上端寄り位置から上端部にかけて、内面から外面に向かって斜めにカットされており、上端寄り位置の外周面には、雄螺子部３１Ｎが形成されている。そして、その斜めにカットされた面に防水リング３２を重ねた状態で、ナット３０が雄螺子部３１Ｎに締め付けられ、Ｊ形パイプ１２Ｊと第２パイプ１２とが連結されている。
【００３６】
第２パイプ１２の下端寄り位置から側方にフランジ部１３（本発明に係る「カバー壁」に相当する）が張り出している。また、図２に示すように、第２パイプ１２のうちフランジ部１３より上側部分には、ドーナッツ形の環状天板部１６が回転可能に嵌合されている。また、環状天板部１６の外縁からはフランジ部１３より内径が大きな筒部１７が垂下されて、環状天板部１６と筒部１７とからキャップナット１５（本発明の「ナット部」に相当する）が構成され、筒部１７の内面には雌螺子部１７Ｎが形成されている。
【００３７】
第１パイプ２０は、上端部の外径が段付き状に大きくかつ肉厚も大きくなっていて、その外周面に雄螺子部２１Ｎが形成されている。また、第１パイプ２０の上端面にパッキン１９が敷設され、そのパッキン１９の上から第２パイプ１２のフランジ部１３を重ねた状態でキャップナット１５が雄螺子部２１Ｎに締め付けられ、第２パイプ１２と第１パイプ２０とが水密状態に連結されている。また、第２パイプ１２のうちフランジ部１３より下側部分は、本発明に係る延長管１４をなし、延長管１４の先端開口が本発明に係るセンター開口１４Ｋをなしている。
【００３８】
第１パイプ２０の内面における上端寄り位置からは、内側に環状に突出した弁座部２４が張り出している。弁座部２４は断面四角形をなし、その上面の内側エッジ部が弁座２４Ｚになっている。
【００３９】
第１パイプ２０の内部には、コア弁４０が収容されている。コア弁４０は、弁座部２４の内側に上下動可能に遊嵌された円筒状のコアパイプ４１の下端部に逆止弁体４９を取り付けてなる。弁座部２４の内側とコアパイプ４１との間が本発明に係る環状隙間２５になっている。コアパイプ４１の下端部は、例えば、下方から上方に向かって斜めにカットされると共に、斜めカット面の上端部にコアパイプ４１の一部が弁体保持部４４として残されている。また、第１パイプ２０は、下端寄り位置で縮径され、第１パイプ２０の下端部が、コア弁４０の外径より小さいコア堰止部２１になっている。
【００４０】
また、コアパイプ４１の下端開口は、コア弁４０の弁口としての可動弁口４５をなし、コアパイプ４１の下端面は弁座４５Ｚをなしている。さらには、弁体保持部４４には、斜めのカット面を延長した切れ込み４４Ａが形成され、そこに例えば可撓性の樹脂シートで構成された逆止弁体４９の一部が固定されている。そして、図１に示すように、逆止弁体４９により、通常は可動弁口４５が閉弁され、図３に示すようにコアパイプ４１内を廃水が流下してくると、その廃水におされて逆止弁体４９が撓み、可動弁口４５が開弁する。
【００４１】
コアパイプ４１の上端部は、上方に向かってラッパ状に拡径し、本発明に係る環状弁体４３になっている。そして、図１に示すように、環状弁体４３が弁座部２４の弁座２４Ｚに上方から当接すると、環状隙間２５が閉じられる。図２に示すように、コア弁４０が上方に移動して環状弁体４３が弁座２４Ｚから上方に離間すると、環状隙間２５が開かれる。また、コアパイプ４１の上端開口に、延長管１４のセンター開口１４Ｋの全体が対向している。
【００４２】
本実施形態の排水路構造１０の構成に関する説明は以上である。次に、この排水路構造１０の作用効果について説明する。図１に示すように、シンク９４から排水管９０に水が流れ込まない状態では、封水トラップ９１と排水路構造１０とによって排水管９０内の流路が分断される。これにより、排水管９０の下流側から臭気や虫が遡上することが防がれる。
【００４３】
排水管９０の図示しない下流側での水の挙動によって突発的に圧力波が発生して遡上して来る場合がある。すると、図２に示すように、コア弁４０が圧力に押されて上方に移動し、これにより環状隙間２５が開いて圧力波が環状隙間２５を通過する。すると、封水トラップ９１内の水が押されて上流側に僅かに移動し、その水に押し返されて封水トラップ９１とコア弁４０との間の気圧が高くなる。そして、その気圧により逆止弁体４９が開いてガスがコア弁４０の下方に移動し、これらの間に圧力波が消滅する。
【００４４】
さて、図３に示すように、シンク９４から排水管９０に水が流れると、その水は、封水トラップ９１を通過して排水路構造１０に至り、排水路構造１０の逆止弁体４９を押し開いて、排水路構造１０より更に下流側へと流れる。
【００４５】
ここで、本実施形態の排水路構造１０では、フランジ部１３からコア弁４０に向かって突出した延長管１４の先端開口が、コアパイプ４１の上端開口に全体が対向するセンター開口１４Ｋをなしているので、第２パイプ１２より上流側から流れてくる廃液がコアパイプ４１内に案内される。これにより、廃水に含まれる異物が環状弁体４３及びその周囲に堆積し難くなると共に、環状弁体４３と弁座部２４との間に異物が挟まることも防がれる。そして、上記したようにコア弁４０の環状弁体４０が圧力波を受けたときに、安定して環状弁体を開閉することができる。また、延長管１４の先端部が、コア弁４０の内側に遊嵌されているので、より確実に廃液が環状弁体４３側に流れることを防ぐことができる。
【００４６】
また、この排水路構造１０では、キャップナット１５を緩めてユニット収容管１１を第１パイプ２０と第２パイプ１２とに分解することができるので、コア弁４０の交換や排水路構造１０内の清掃を容易に行うことができる。さらには、排水路構造１０は、排水管９０における封水トラップ９１の下流側に配置されているので、排水路構造１０を通過した圧力波によって臭気が排水管９０外に放出されることを防ぐことができる。
【００４７】
なお、第１パイプ２０の下端部が、コア弁４０の外径より小さいコア堰止部２１になっているので、仮に環状弁体４３が破損してコア弁４０が環状隙間２５を通過する事態が起きても、コア弁４０をコア堰止部２１で堰き止めて、それ以上、下流側に流れることを防ぐことができる。
【００４８】
［第２実施形態］
以下、本発明の第２実施形態を図５に基づいて説明する。本実施形態の排水路構造１０Ｘでは、環状弁体４３が上方から当接する弁座２４Ｚは、第１パイプ２０の上端部の肉厚部分の内径が拡径されることにより形成されている。また、第１パイプ２０の上端部の外径は、逆円錐台形状に徐々に拡径された形状になっている。さらに、図５に示すように、フランジ部１３の外縁部から筒部１７（本発明の「ナット部」に相当する）が垂下されて、その内面には雌螺子部１７Ｎが形成されている。他の構成については、前記第１実施形態と同様である。
【００４９】
［第３実施形態］
以下、本発明の第３実施形態を図６に基づいて説明する。本実施形態の排水路構造１０Ｙは、シンク９４の底壁に固定された貯留カップ５０を備える。貯留カップ５０は、下端有底の円筒状をなし、その底部５２の中央を貫通する第３パイプ５１の下端部に第２パイプ１２が接続されている。そして、第２パイプ１２より下側部分が第１実施形態の排水路構造１０と同様の構造をなしている。
【００５０】
貯留カップ５０の側壁部５３は、上下方向の途中位置に段差部５３Ａを備えて、それより下側部分が僅かに縮径されている。また、第３パイプ５１の上端は、段差部５３Ａより僅かに下方に位置している。そして、第３パイプ５１のうち底部５２より上側部分と貯留カップ５０の側壁部５３との間に環状溝５０Ａが形成されて、そこに廃水が貯留されるようになっている。
【００５１】
貯留カップ５０の上端部には、メッシュ構造のゴミ受け皿７０が嵌合され、そのゴミ受け皿７０の上面に菊割れ蓋７１が載置されている。
【００５２】
貯留カップ５０の内部には、第３パイプ５１の上端開口を上方から覆うキャップ部材６０が収容されている。キャップ部材６０は、上端有底の円筒状をなし、その側壁部６１の上端部を周方向で３等分する位置から複数の係止突片６１Ｃが張り出している（図７（Ａ）参照）。そして、キャップ部材６０の側壁部６１が、貯留カップ５０の側壁部５３と第３パイプ５１との間に遊嵌されると共に、複数の係止突片６１Ｃの先端部が貯留カップ５０の段差部５３Ａ上に重ねられ、キャップ部材６０の側壁部６１の下端部が貯留カップ５０の底部５２から浮かび、キャップ部材６０の天井壁６２が第３パイプ５１の上端開口から上方に浮かんだ状態に保持されている。なお、係止突片６１Ｃと段差部５３Ａ上とが、本発明に係る「キャップ保持手段」に相当する。
【００５３】
キャップ部材６０の側壁部６１のうち隣り合った係止突片６１Ｃの間には、それぞれメッシュ部６１Ｂが設けられている。図７（Ｂ）に示すように、各メッシュ部６１Ｂは、側壁部６１の上端寄り位置から下端寄り位置に亘る四角形の領域に複数の側面貫通孔６１Ａを穿孔してなる。また、図６に示すように、メッシュ部６１Ｂの上端部は第３パイプ５１の上端より上方に位置し、環状溝５０Ａに満杯になった廃水の水面がメッシュ部６１Ｂの上下方向の中間部に位置するようになっている。
【００５４】
なお、キャップ部材６０の天井壁６２の上面からは、リブ状の摘み部６２Ａが突出している。
【００５５】
本実施形態の排水路構造１０Ｙによれば、キャップ部材６０が第３パイプ５１の上端開口を上方から覆っているので、高温の湯や油が直に第３パイプ５１に流れ込んでコア弁４０に掛かることが防がれる。また、第３パイプ５１の周囲の環状溝５０Ａには、廃水が貯留されているので、シンク９４に捨てられた高温の湯や油は、コア弁４０に到達する前に、環状溝５０Ａ内の廃水によって温度を下げられる。これらにより、高温の湯や油がコア弁４０に掛かることが確実に防がれ、コア弁４０の熱変形が防がれる。それでいて、排水路を遡上する圧力波を、キャップ部材６０のメッシュ部６１Ｂから確実に逃がすことができる。
【００５６】
［第４実施形態］
以下、本発明の第４実施形態を図８〜図１０に基づいて説明する。一般に、住居において洗濯機が配置される洗濯部屋の床面又は、床面に据え付けられた洗濯パンの底面（床面等という）には、図８に示すように、洗濯排水孔８９が開口していて、その洗濯排水孔８９内に本発明に係る排水路構造１０Ｚが備えられている。
【００５７】
図９には、排水路構造１０Ｚに含まれる部品が分解された状態で示されている。図９の符号８０は、コア支持スリーブであって、スリーブ本体８５の上端部から側方にフランジ部８３が張り出した構造をなしている。フランジ部８３のうち径方向の途中位置より内側は、テーパー部８３Ｔとなって中央に向かって緩やかに下っている。
【００５８】
図８に示すように、スリーブ本体８５の外周面は、上下方向の途中位置より上側が円筒部８５Ａをなし、下側がテーパー部８５Ｂとなって下方に向かって窄んでいる。そして、洗濯排水孔８９内にフランジ部８３が圧入されて、フランジ部８３が洗濯排水孔８９内の開口縁に重ねられている。また、洗濯排水孔８９内の開口縁は環状凹部８９Ａとなって段付き状に陥没していて、フランジ部８３が洗濯排水孔８９内に収まり、フランジ部８３の外縁部の上面と床面等とが面一になっている。
【００５９】
なお、コア支持スリーブ８０は、例えば接着剤によって洗濯排水孔８９内に嵌合した状態に固定されている。
【００６０】
図８に示すように、スリーブ本体８５の内周面は、上端寄り位置と下端寄り位置とにそれぞれ段差部を有して、下方に向かって段階的に内径が縮径している。また、下端寄り位置の段差部は、第１実施形態の排水路構造１０と同様の弁座部２４をなしている。そして、スリーブ本体８５の下端部側の内側に、前記第１実施形態で説明したコア弁４０が嵌合されて、そのコア弁４０の環状弁体４３が、弁座部２４に上方から当接している。なお、コア弁４０のコアパイプ４１は、スリーブ本体８５より下方に突出している。
【００６１】
一方、スリーブ本体８５の上端寄り位置の段差部は、本発明に係る蓋支持部８１をなし、図９に示すように、蓋支持部８１より上側の上端大径部８４の上端部には、周方向で４等分する位置に係合突片８２が設けられている。そして、図８に示すように、蓋支持部８１と係合突片８２との間に次述するパイプ支持部材８８の蓋部材８６が装着される。
【００６２】
図９に示すように、パイプ支持部材８８は、上下に延びる円筒状の接続筒部８７の下端寄り位置から蓋部材８６が側方に張り出した構造をなしている。接続筒部８７の下端部の内側には、貫通規制バー８７Ａが差し渡されている。また、図８に示すように、蓋部材８６のうち径方向の途中位置より内側は、テーパー部８６Ｔとなって中央に向かって緩やかに下っている。さらにテーパー部８６Ｔには、図１０（Ａ）に示すように、接続筒部８７回りに複数の貫通孔８６Ａが形成されている。
【００６３】
蓋部材８６の外縁部には、４等分する位置に係合突片８２に対応した切欠部８６Ｃが形成されると共に、切欠部８６Ｃの間に残された外縁部から上方にそれぞれ楔形突条８６Ｂが突出している。それら楔形突条８６Ｂは、蓋部材８６を上方から見て反時計回り方向に向かって突出量が徐々に大きくなっている（図１０（Ｂ）参照）。また、蓋部材８６の外縁部の下面から、楔形突条８６Ｂの頂上部までの高さは、コア支持スリーブ８０の蓋支持部８１から係合突片８２の下面までの高さより大きくなっている。
【００６４】
そして、パイプ支持部材８８の切欠部８６Ｃとコア支持スリーブ８０の係合突片８２とを対向させた状態で、パイプ支持部材８８の蓋部材８６がコア支持スリーブ８０の上端大径部８４に嵌合され、パイプ支持部材８８がコア支持スリーブ８０に上方から見て時計回り方向に回転させられて、各楔形突条８６Ｂがコア支持スリーブ８０の蓋支持部８１と係合突片８２との間に食い込み、パイプ支持部材８８がコア支持スリーブ８０に固定されている。そして、接続筒部８７の内側に洗濯機から延びる排水ホース１００の先端部が嵌合した状態に固定される。なお、パイプ支持部材８８の蓋部材８６はコア支持スリーブ８０の内側において弁座部２４よりも上方に位置している。
【００６５】
本実施形態の排水路構造１０Ｚによれば、第１実施形態の排水路構造１０と同様に、コア弁４０によって住居の洗濯排水孔８９から臭気を断つことができる。また、万が一、洗濯排水孔８９の周囲に水が零れるような散水不具合がおきても、蓋部材８６に形成された貫通孔８６Ａを通して洗濯排水孔８９に流し込むことができる。さらに、パイプ支持部材８８をコア支持スリーブ８０から離脱させた状態で排水ホース１００に固定し、そのパイプ支持部材８８をコア支持スリーブ８０に装着することで、排水ホース１００を洗濯排水孔８９に接続する作業を容易に行うことができ、排水ホース１００を洗濯排水孔８９に離脱する作業も同様に容易に行うことができる。また、コア支持スリーブ８０からパイプ支持部材８８を容易に外せるのでコア弁４０のメンテナンスを容易に行うことができる。なお、接続筒部８７には貫通規制バー８７Ａが形成されているので、排水ホース１００が接続筒部８７を貫通してコア弁４０に衝突しないようになっている。なお、接続筒部８７の内側に排水ホース１００を嵌合するのではなく、接続筒部８７の外側に、接続筒部８７よりも内径が大きい排水ホース１００を嵌合させて固定する構成にしてもよい。
【００６６】
［第５実施形態］
本実施形態は、図１１及び図１２に示されている。図１１に示された排水孔８９Ｔは、風呂場に形成されていて、前記第４実施形態で説明した洗濯排水孔８９と同じ形状になっている。また、その排水孔８９Ｔには、第４実施形態で説明したコア支持スリーブ８０が嵌合固定され、その下端部にコア弁４０が装着されている。そして、前記第４実施形態のパイプ支持部材８８に代えて風呂場用蓋部材７２がコア支持スリーブ８０の上端部に装着されている。
【００６７】
図１２に示すように、風呂場用蓋部材７２は、漏斗形状をなし、外縁部に、前記第４実施形態の蓋部材８６の外縁部と同じ、切欠部８６Ｃと楔形突条８６Ｂとを備えている。また、風呂場用蓋部材７２の上面には、回動操作を行うための複数の係止突起８６Ｄが備えられている。そして、図１１に示すように、コア支持スリーブ８０の蓋支持部８１と係合突片８２との間に風呂場用蓋部材７２の外縁部が係合して、風呂場用蓋部材７２の下端部がコアパイプ４１内に遊嵌されている。風呂場用蓋部材７２の中央にセンター開口７２Ｋが形成され、センター開口７２Ｋの全体がコアパイプ４１の上端開口に対向している。
【００６８】
本実施形態によれば、漏斗状の風呂場用蓋部材７２により、廃水がセンター開口７２Ｋを通ってコアパイプ４１内に案内されると共に、廃水が環状弁体４３側に流れることを規制する。これにより、異物が環状弁体４３上に堆積したり、環状弁体４３と弁座部２４との間に挟まることが防がれ、コア弁４０の環状弁体４３が安定して環状隙間２５を開閉することができる。なお、本実施形態では風呂場用蓋部材７２を風呂場の排水孔に用いていたが、風呂場ではなく、シンクの排水孔に用いてもよい。
【００６９】
［第６実施形態］
以下、本発明の第６実施形態を図１３に基づいて説明する。本実施形態の排水路構造１０Ｕでは、コア弁４０Ｕの構造が第１実施形態と異なっている。
【００７０】
具体的には、コア弁４０Ｕの弁体保持部４４Ｕと、弁体保持部４４Ｕの上面が当接するコアパイプ４１Ｕの下端部が上方に湾曲した形状になっている。そして、弁体保持部４４Ｕはコアパイプ４１Ｕとは別体となっていて、弁体保持部４４Ｕの上面からはコアパイプ４１Ｕへと凸部４４Ａが突出している。コアパイプ４１Ｕの下端部には凸部４４Ａと凹凸係合する凹部４１Ａが形成されている。そして、逆止弁体４９には凸部４４Ａが貫通する貫通孔４９Ａが形成されている。弁体保持部４４Ｕの凸部４４Ａは逆止弁体４９の貫通孔４９Ａを貫通しつつコアパイプ４１Ｕの凹部４１Ａに凹凸係合するように圧入されている。
【００７１】
このように、コア弁４０Ｕの弁体保持部４４Ｕが上方に湾曲していることで、逆止弁体４９が撓んでコアパイプ４１Ｕ側へと付勢され、逆止弁体４９とコアパイプ４１Ｕとの密着性が向上する。また、弁体保持部４４Ｕの凸部４４Ａが、逆止弁体４９の貫通孔４９Ａを貫通しつつコアパイプ４１Ｕの凹部４１Ａと凹凸係合しているので、逆止弁体４９が安定して保持される。
【００７２】
［第７実施形態］
以下、本発明の第７実施形態を図１４に基づいて説明する。本実施形態の排水路構造１０Ｔでは、コア弁４０Ｔの構造が第１実施形態と異なっている。
【００７３】
具体的には、図１４（Ａ）に示すように、コア弁４０Ｔのコアパイプ４１Ｔは２つの部品が上下に並んで係合してなり、上端部に環状弁体４３Ｔを有した円筒状をなしている。コアパイプ４１Ｔの内側には内径が縮径した段差部４１Ｄが設けられていると共に、その段差部４１Ｄと上面が面一な支持バー４６が差し渡されている。
【００７４】
支持バー４６の中央部からは支持シャフト４６Ｂが垂下していて、支持シャフト４６Ｂには、例えばバネからなる弾性部材４７が備えられている。支持シャフト４６Ｂの下端部には弾性部材４７を抜け止めする抜け止め部４７Ａが設けられている。抜け止め部４７Ａは下端部にドーム状に突出した突部４７Ｂを有する。
【００７５】
そして、支持シャフト４６Ｂには、貫通孔４８Ａ，４８Ｂを上下に有するボール状の弁体４８が直動可能に支持されている。弁体４８は内側に空洞部を有し、支持シャフト４６Ｂ及び弾性部材４７が弁体３８の貫通孔４８Ａから弁体４８の内側へと入り込んでいる。
【００７６】
詳細には、弁体４８の上側の貫通孔４８Ａは弾性部材４７よりも内径が小さく、貫通孔４８Ａの下端部が弾性部材４７と当接していて、これにより、弁体４８が弾性部材４７によって上方に付勢されている。また、貫通孔４８Ａの周囲には弾性部材４７を囲むように下方に張り出すフランジ部４８Ｃが設けられている。なお、貫通孔４８Ｂは、抜け止め部４７Ａが当接することで閉塞され、突部４７Ｂが貫通孔４８Ｂの内側に入り込んでいる。
【００７７】
弁体４８の直径はコアパイプ４１Ｔの下端部の内径よりも大きくなっていて、弁体４８が弾性部材４７によって上方に付勢されることでコアパイプ４１Ｔの下端部に当接し、通常はコアパイプ４１Ｔを弁体４８が閉塞している。これにより、下流側から臭気や虫が遡上することが防がれる。なお、コアパイプ４１Ｔの下端部は、ボール４８の表面に合わせて僅かに湾曲している。
【００７８】
そして、上流側から排水が流れてきた際は、図１４（Ｂ）に示すように、排水によって弁体４８が下方に付勢されて弁体４８がコアパイプ４１Ｔの下端部から離れ、コアパイプ４１Ｔとボール４８との間に生じた隙間を排水が流れる。排水が通過した後は、弾性部材４７に付勢されて再び弁体４８がコアパイプ４１Ｔを塞ぐ。
【００７９】
また、下流からの圧力波によってコア弁４０Ｔの環状弁体４３Ｔが環状隙間２５を開閉することで、弁体４８がコアパイプ４１Ｔに食い込むことが押えられ、排水が堰き止められることが押えられる。なお、コアパイプ４１Ｔの下側の部品には、弁体４８との密着性を高めるために、上の部品よりも柔らかい材料からなる部品を用いてもよい。抜け止め部４７や弁体４８も同様である。また、弁体４８の上下動をスムーズにするために軽い材料からなる弁体を用いてもよい。
【００８０】
なお、本実施形態のコア弁４０Ｔを、上記第２〜第６実施形態及び他の実施形態の排水路構造のコア弁に代えて用いてもよい。
【００８１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８２】
（１）前記実施形態の排水路構造１０では、コア弁４０内に延長管１４の先端部が常に受容される構造になっていたが、図１５に示した排水路構造１０Ｖのように、延長管１４の先端部がコア弁４０内に受容されてない構成であってもよい。
【００８３】
（２）また、図１６に示した排水路構造１０Ｗのように、延長管１４を備えず、フランジ部１３の中央のセンター開口１３Ｋが、コアパイプ４１の上端開口４２に対向して、そのセンター開口１３Ｋから排出される液体がコアパイプ４１内に排出される構成にしてもよい。この場合でも、センター開口１３Ｋを通ってコアパイプ４１内に案内され、異物が環状弁体４３上に堆積したり、環状弁体４３と弁座部２４との間に挟まることが防がれ、コア弁４０の環状弁体４３が安定して環状隙間２５を開閉することができる。
【００８４】
（３）上記実施形態では、コアパイプ４１の下端部は、下方から上方に向かって斜めにカットされていたが、斜めにカットされていなくともよい。
【００８５】
（４）コア弁の逆止弁体は機械的に開閉する構造であってもよい。
【符号の説明】
【００８６】
１０，１０Ｕ，１０Ｖ，１０Ｘ，１０Ｙ，１０Ｚ    排水路構造
１１    ユニット収容管
１２    第２パイプ
１２Ｊ    Ｊ形パイプ
１３    フランジ部
１３Ｋ    センター開口
１４    延長管
１４Ｋ，７２Ｋ    センター開口
１５    キャップナット
１６    環状天板部
１７    筒部
２０    第１パイプ
２１    コア堰止部
２４    弁座部
２４Ｚ    弁座
２５    環状隙間
３０    ナット
４０，４０Ｕ，４０Ｔ    コア弁
４０    環状弁体
４１，４１Ｕ，４１Ｔ    コアパイプ
４２    上端開口
４３    環状弁体
４４，４４Ｖ    弁体保持部
４５    可動弁口
４５Ｚ    弁座
４９    逆止弁体
４９Ａ    貫通孔
５０    貯留カップ
５０Ａ    環状溝
５１    第３パイプ
５２    底部
５３    側壁部
５３Ａ    段差部
６０    キャップ部材
６１    側壁部
６１Ａ    側面貫通孔
６１Ｂ    メッシュ部
６１Ｃ    係止突片
６２    天井壁
７２    風呂場用蓋部材
８０    コア支持スリーブ
８１    蓋支持部
８２    係合突片
８３    フランジ部
８３Ｔ    テーパー部
８４    上端大径部
８５    スリーブ本体
８５Ａ    円筒部
８５Ｂ    テーパー部
８６    蓋部材
８６Ａ    貫通孔
８６Ｂ    楔形突条
８６Ｃ    切欠部
８６Ｄ    係止突起
８６Ｔ    テーパー部
８７    接続筒部
８７Ａ    貫通規制バー
８８    パイプ支持部材
８９    洗濯排水孔
８９Ｔ    排水孔
９０    排水管
９１    封水トラップ
９４    シンク
１００    排水ホース
【図１】
2018150743.tif 000003
【図２】
2018150743.tif 000004
【図３】
2018150743.tif 000005
【図４】
2018150743.tif 000006
【図５】
2018150743.tif 000007
【図６】
2018150743.tif 000008
【図７】
2018150743.tif 000009
【図８】
2018150743.tif 000010
【図９】
2018150743.tif 000011
【図１０】
2018150743.tif 000012
【図１１】
2018150743.tif 000013
【図１２】
2018150743.tif 000014
【図１３】
2018150743.tif 000015
【図１４】
2018150743.tif 000016
【図１５】
2018150743.tif 000017
【図１６】
2018150743.tif 000018